(57)【要約】      （修正有）【課題】エルイーディー（ＬＥＤ）のケース、レンズ及び電線ホルダーを一体化して作業性及び生産性を向上させることができるようにしたレンズ一体型エルイーディー照明モジュールを提供する。【解決手段】エルイーディー１３１が設置された基板１３０と、上記基板の上部に被せられるケース１００を備えるエルイーディー照明モジュールにおいて、上記ケース１００の中央には上記エルイーディー１３１に対応する位置にレンズ１１０が一体に結合されて設置され、上記レンズ１１０と隣接した周辺部には円形の傾斜部１１８が上記ケース１００と一体に形成され、上記ケース１００の互いに対向する両側には電線を収容するための第１電線ホルダー部１２１と第２電線ホルダー部１２３がケース１００と一体に形成される。【選択図】図２
2015095448.tif 000002
【特許請求の範囲】
【請求項１】
エルイーディーが設置された基板と、上記基板の上部に被せられるケースを備えるエルイーディー照明モジュールにおいて、
上記ケースの中央には、上記エルイーディーに対応する位置にレンズが一体に結合されて設置され、
上記レンズと隣接した周辺部には円形の傾斜部が上記ケースと一体に形成され、
上記ケースの互いに対向する両側には、電線を収容するための第１電線ホルダー部と第２電線ホルダー部がケースと一体に形成されることを特徴とする、レンズ一体型エルイーディー照明モジュール。
【請求項２】
上記傾斜部は、レンズまたはケース底面の延長線となす角度（θ）が５〜１５゜であることを特徴とする、請求項１に記載のレンズ一体型エルイーディー照明モジュール。
【請求項３】
上記第１電線ホルダー部及び第２電線ホルダー部のそれぞれは、
電線が収容される収容部と、電線が基板方向に曲がり込むことを防止するためのストッパーを含むことを特徴とする、請求項１に記載のレンズ一体型エルイーディー照明モジュール。
【請求項４】
上記収容部には、電線が挿入される方向を横切って凹溝部が形成されることを特徴とする、請求項３に記載のレンズ一体型エルイーディー照明モジュール。
【請求項５】
上記基板には、上記エルイーディーを中心としてその周辺に一つ以上のレンズ固定ホールが形成されており、上記レンズには、上記レンズ固定ホールとの結合のための一つ以上の結合ピンが形成されていることを特徴とする、請求項１に記載のレンズ一体型エルイーディー照明モジュール。
【請求項６】
上記ケースのコーナー部４ヶ所にはそれぞれ結合ホール部が備えられ、上記結合ホール部の底部には高さ調整突部が形成されることを特徴とする、請求項１に記載のレンズ一体型エルイーディー照明モジュール。
【請求項７】
上記ケースの一側に第１結合レールと第１結合突部を並べて形成し、
上記ケースの対向する他側に、上記第１結合レールに対応する第２結合突部と、上記第１結合突部に対応する第２結合レールを並べて形成することを特徴とする、請求項１に記載のレンズ一体型エルイーディー照明モジュール。 
【発明の詳細な説明】
【技術分野】
【０００１】
本発明は、レンズ一体型エルイーディー照明モジュールに関する。より具体的には、エルイーディー（ＬＥＤ）のケース、レンズ及び電線ホルダーを一体化して作業性及び生産性を向上させることができ、レンズ収容部の傾斜角度を最適化して光の拡散性を増大させることができ、防水液の塗布時に外部に漏れることを防止できるようにしたレンズ一体型エルイーディー照明モジュールに関する。
【背景技術】
【０００２】
一般的に、看板は、食堂及びスーパー等のような自営業者の商号ないしは中小企業または大企業の法人名称を建物の外壁または重要位置に設置して消費者に広告宣伝できるようにする媒体ということができ、大部分は蛍光ランプを内蔵した極めて単純な形態からなっている。
【０００３】
このような単純な形の看板は、所期の広告の目的は達成できるが、都市美観を害し多数の蛍光ランプを使用せざるを得ず多くの問題点として指摘されている。
これに対する代案として、最近は図１に示されたようにＬＥＤ（Ｌｉｇｈｔ  Ｅｍｉｔｔｉｎｇ  Ｄｉｏｄｅ）を活用したチャンネル型広告モジュールが開発されている。
【０００４】
図１に示されたように、従来の技術による照明モジュール１０は、一側が開放された箱状の合成樹脂ハウジング１２の両側に電線ホルダー１４が追加で形成され、電源または信号線１６が貫通して結合される。
基板２０には、エルイーディー２２を含む電子部品が実装されており、締結ねじ２４が基板２０を貫通した後に電線１６の金属線と結合されて、動作に必要な電源の供給を受けるようになる。
【０００５】
一方、ハウジング１２には合成樹脂やシリコーン等が充填され水やほこり等による汚染や破損を防止するようになる。
このような構成を有する照明モジュール１０は、看板やアクリル板の背面に設置されて照明として機能するようになる。
【０００６】
しかし、上記のような照明モジュールは、電線ホルダー１４が別途に製作されて上部ケースと基板を結合させる構造を有しており、実際の作業時に作業性がよくなく、それに伴って生産性もよくない短所があった。
また、従来の照明モジュールにおいて、モジュールの内部に防水液を塗布することもできるが、このような防水液の塗布時に電線とケースの間の隙間を通じて内部に充填した防水液が外部に漏れる問題点があった。
【先行技術文献】
【特許文献】
【０００７】
【特許文献１】大韓民国登録特許第１０−０８７４３３５号
【特許文献２】大韓民国公開特許第１０−２００９−０１１９２４６号
【特許文献３】大韓民国登録実用新案公報第２０−０４５３５０１号
【発明の概要】
【発明が解決しようとする課題】
【０００８】
本発明の目的は、上記の問題点を解決するためのもので、エルイーディー（ＬＥＤ）のケース、レンズ及び電線ホルダーを一体化して作業性及び生産性を向上させることができるようにしたレンズ一体型エルイーディー照明モジュールを提供することにある。
本発明の他の目的は、レンズ収容部の傾斜角度を最適化して光の拡散性を増大させることができるようにしたレンズ一体型エルイーディー照明モジュールを提供することにある。
【０００９】
本発明のまた他の目的は、ケースと基板の間に防水液を塗布する時に内部に充填した防水液が外部に漏れることを防止できるようにしたレンズ一体型エルイーディー照明モジュールを提供することにある。
【課題を解決するための手段】
【００１０】
上記目的を達成するために、本発明によるレンズ一体型エルイーディー照明モジュールは、エルイーディーが設置された基板と、上記基板の上部に被せられるケースを備えるエルイーディー照明モジュールにおいて、上記ケースの中央には、上記エルイーディーに対応する位置にレンズが一体に結合されて設置され、上記レンズと隣接した周辺部には円形の傾斜部が上記ケースと一体に形成され、上記ケースの互いに対向する両側には、電線を収容するための第１電線ホルダー部と第２電線ホルダー部がケースと一体に形成されることを特徴とする。
【００１１】
上記傾斜部は、レンズまたはケース底面の延長線と成す角度（θ）が５〜１５゜であることを特徴とする。
上記第１電線ホルダー部及び第２電線ホルダー部のそれぞれは、電線が収容される収容部と、電線が基板方向に曲がり込むことを防止するためのストッパーを含むことを特徴とする。
【００１２】
上記収容部には、電線が挿入される方向を横切って凹溝部が形成されることを特徴とする。
上記基板には、上記エルイーディーを中心としてその周辺に一つ以上のレンズ固定ホールが形成されており、上記レンズには上記レンズ固定ホールとの結合のための一つ以上の結合ピンが形成されていることを特徴とする。
【００１３】
上記ケースのコーナー部４ヶ所には、それぞれ結合ホール部が備えられ、上記結合ホール部の底部には高さ調整突部が形成されることを特徴とする。
上記ケースの一側に第１結合レールと第１結合突部を並べて形成し、上記ケースの対向する他側に上記第１結合レールに対応する第２結合突部と上記第１結合突部に対応する第２結合レールを並べて形成することを特徴とする。
【発明の効果】
【００１４】
本発明によれば、エルイーディー（ＬＥＤ）のケース、レンズ及び電線ホルダーを一体化して作業性及び生産性を向上させることができ、レンズ収容部の傾斜角度を最適化して光の拡散性を増大させることができ、防水液の塗布時に外部に漏れることを防止できる効果を得ることができる。
【図面の簡単な説明】
【００１５】
【図１】従来技術による照明モジュールの平面図である。
【図２】本発明によるレンズ一体型エルイーディー照明モジュールを正面から見た分解斜視図である。
【図３】本発明によるレンズ一体型エルイーディー照明モジュールを背面から見た分解斜視図である。
【図４】本発明によるレンズ一体型エルイーディー照明モジュールのケースを示した平面図である。
【図５】本発明によるレンズ一体型エルイーディー照明モジュールのケースを示した背面図である。
【図６】本発明によるレンズ一体型エルイーディー照明モジュールの他の例を示した背面斜視図である。
【図７】本発明によるレンズ一体型エルイーディー照明モジュールの使用状態を示した斜視図である。
【図８】本発明によるレンズ一体型エルイーディー照明モジュールを複数個連結した状態を示した斜視図である。
【発明を実施するための形態】
【００１６】
以下、添付された図面を参照して本発明によるレンズ一体型エルイーディー照明モジュールについて詳しく説明することにする。
図２は本発明によるエルイーディー照明モジュールを正面から見た分解斜視図、図３は本発明によるエルイーディー照明モジュールを背面から見た分解斜視図、図４は本発明によるエルイーディー照明モジュールのケースを示した平面図であり、図５は本発明によるエルイーディー照明モジュールのケースを示した背面図である。
【００１７】
図２ないし図５に示されたように、本発明によるレンズ一体型エルイーディー照明モジュールは、大きく、エルイーディー１３１が設置された基板１３０と、上記基板１３０の上部に被せられるケース１００とを含む。
上記基板１３０には、エルイーディー１３１の発光を制御するためのＰＣＢ回路部品が実装され、その中央にエルイーディー１３１が設置されている。また、上記エルイーディー１３１を中心としてその周辺に一つ以上のレンズ固定ホール１３３が形成されている。上記基板の一つ以上の側面には、基板とケースを結合させた後に防水液を充填させるための防水液充填溝１３５が形成されている。上記基板１３０のコーナー部には、ケース１００を結合させて固定するための固定ホール１３７が形成されている。
【００１８】
上記ケース１００の中央には、上記エルイーディー１３１に対応する位置にレンズ１１０が一体に結合されている。上記レンズ１１０は、上記エルイーディー１３１から発光した光が拡散して広がるようにする役割をする。上記レンズ１１０には、結合のための一つ以上の結合ピン１１９が形成されている。上記結合ピン１１９は、上記レンズ固定ホール１３３に挿入されて固定されることができ、これによってレンズ１１０が基板１３０上にさらに堅固に固定されることができるのである。
【００１９】
上記レンズ１１０と隣接した周辺部には、円形の傾斜部１１８がケース１００と一体に形成されている。上記傾斜部１１８は、レンズまたはケース底面の延長線となす角度（θ）が５〜１５゜であることが好ましく、最も好ましくは１０゜である時に光がケース上端面によって干渉を受けずに明るく発光することができるのである。
したがって、上記傾斜部１１８の形成により、上記基板１３０の中央部を中心として半径２０ｍｍ以内には回路部品が実装されないことが望ましい。
【００２０】
また、上記ケース１００の互いに対向する両側には電線を収容するための第１電線ホルダー部１２１と第２電線ホルダー部１２３が一体に形成される。上記第１電線ホルダー部１２１と第２電線ホルダー部１２３には、電線が挿入及び収容されて基板１３０の電線連結部に連結されるようになる。
この時、上記第１電線ホルダー部１２１及び第２電線ホルダー部１２３のそれぞれは、電線が収容される収容部１２６と電線が基板方向に曲がり込むことを防止するためのストッパー１２７を備える。
【００２１】
また、上記収容部１２６には、電線が挿入される方向を横切って凹溝部１２９が形成される。上記凹溝部１２９は、防水液をケース１００と基板１３０の間に充填する場合に、防水液が電線を伝って流れて外部に漏洩することを防止するためのもので、微量の防水液が収容部１２６を伝って漏れる時に、上記凹溝部１２９に捕らえられることにより、最終的には外部に漏れなくなるのである。
【００２２】
上記ケース１００のコーナー部４ヶ所には、それぞれ結合ホール部１２５が備えられるが、上記結合ホール部１２５は、上記基板１３０に形成された固定ホール１３７と対応して別途の結合手段（図示なし）によってケース１００と基板１３０を結合させることができるのである。
【００２３】
この時、上記結合ホール部１２５の底部には高さ調整突部１２２が形成されるが、上記高さ調整突部１２２は、上記基板１３０が上記ケース１００の内部に結合される時に、上記基板１３０がケース１００の内部にそれ以上進入することができないようにして、基板とケースの間の高さを一定に調整することができる機能をするものである。
また、上記ケース１００の互いに対向するまた他の両側には、結合突部と結合レールが形成されており、本発明のエルイーディー照明モジュールを複数個結合して使用できるようにできる。
【００２４】
すなわち、上記ケース１００の一側に第１結合レール１１３と第１結合突部１１１を並べて形成し、上記ケース１００の対向する他側に、上記第１結合レール１１３に対応する第２結合突部１１７と、上記第１結合突部１１１に対応する第２結合レール１１５を並べて形成する。
【００２５】
これにより、上記ケース１００と基板１３０を結合して最終的にエルイーディー照明モジュールを製作することができるものであり、エルイーディー照明モジュール複数個を相互間に連結して使用することもできるのである。
【００２６】
図６は、本発明によるエルイーディー照明モジュールの他の例を示した背面斜視図である。
図６に示されたエルイーディー照明モジュールは、第１電線ホルダー部が２つ、すなわち電線が４本収容されることができる構造であることを除いては、上記に叙述された本発明の技術と同一なものであり、具体的な説明は省略することとする。
【００２７】
このように、本発明では第１電線ホルダー部や第２電線ホルダー部の数が電線の数に応じてさまざまな形態で製作されることができ、このような技術は当業者であれば自明に考えることができるものである。
図７は、本発明によるエルイーディー照明モジュールの使用状態図を示した斜視図で、図８は、本発明によるエルイーディー照明モジュールを複数個連結した状態を示した斜視図である。
【００２８】
上記では本発明の好ましい実施例を参照して説明したが、該当技術分野の熟練した当業者は、特許請求範囲に記載された本発明の思想及び領域から逸脱しない範囲内で、本発明を多様に修正及び変更させることができることを理解することができるであろう。
【符号の説明】
【００２９】
１００：  ケース
１１０：  レンズ
１１１：  第１結合突部
１１３：  第１結合レール
１１５：  第２結合レール
１１７：  第２結合突部
１１８：  傾斜部
１２１：  第１電線ホルダー部
１２３：  第２電線ホルダー部
１３０：  基板
１３１：  エルイーディー
１３３：  レンズ固定ホール
【図１】
2015095448.tif 000003
【図２】
2015095448.tif 000004
【図３】
2015095448.tif 000005
【図４】
2015095448.tif 000006
【図５】
2015095448.tif 000007
【図６】
2015095448.tif 000008
【図７】
2015095448.tif 000009
【図８】
2015095448.tif 000010